(57)【要約】【課題】原稿読み取り時の光漏れが生じることを防ぐと共に、原稿のサイズ検知を正常に行うことができるサイズ検知装置及び画像形成装置の提供。【解決手段】サイズ検知装置１１は、原稿載置部２、原稿押さえ部３、色切換部４５ｃ及びサイズ検知センサ４１を備える。原稿載置部２には原稿が載置される。原稿押さえ部３は、原稿載置部２に対し開閉可能に連結され、載置された原稿を押さえる原稿カバー３ａと、原稿カバー３ａの下面に取り付けられ、載置された原稿のサイズよりも大きい電子ペーパーで形成されている原稿マット３ｂとを有する。色切換部４５ｃは、原稿カバー３ａが閉じられている時に原稿マット３ｂに表示させる色を暗色系または明色系の色に切り換える。サイズ検知センサ４１は、原稿載置部２の下方に配置され、載置された原稿に向けて光を照射し、原稿領域と原稿マット３ｂとの反射率の差に基づいて原稿のサイズを検知する。【選択図】図４
2008244829.tif 000002
【特許請求の範囲】
【請求項１】
原稿が載置される原稿載置部と、
前記原稿載置部に対し開閉可能に連結され、前記原稿載置部に載置された前記原稿を押さえる原稿カバーと、前記原稿カバーの下面に取り付けられ、前記原稿載置部に載置された前記原稿のサイズよりも大きいシート状の表示媒体と、を有する原稿押さえ部と、
前記原稿カバーが前記原稿載置部に対し閉じられている時に、前記シート状の表示媒体に表示させる色を暗色系または明色系の色に切り換える色切換部と、
前記原稿載置部の下方に配置され、前記原稿載置部に載置された前記原稿に向けて光を照射し、載置された前記原稿の領域における反射率と前記表示媒体における反射率との差に基づいて前記原稿のサイズを検知する原稿サイズ検知部と、
を備える、サイズ検知装置。
【請求項２】
前記シート状の表示媒体は電子ペーパーである、請求項１に記載のサイズ検知装置。
【請求項３】
前記原稿の読み取り動作開始の指示を外部から受け付ける指示受付部を更に備え、
前記原稿サイズ検知部は、前記指示受付部が前記指示を受け付けた時、前記原稿のサイズ検知を開始する、請求項１または２に記載のサイズ検知装置。
【請求項４】
前記色切換部は、前記原稿サイズ検知部が前記原稿のサイズ検知を行っている間に前記シート状の表示媒体の色の切り換えを行い、前記原稿のサイズ検知の終了後には、前記シート状の表示媒体の色を略白色に固定する、請求項１〜３のいずれかに記載のサイズ検知装置。
【請求項５】
前記原稿載置部に載置された前記原稿に対して所定方向に移動する光源を有し、前記原稿を走査露光して読み取る原稿読み取り部を更に備え、
前記色切換部は、前記光源の位置よりも前記所定方向の下流側に対応する前記シート状の表示媒体の部分を略白色に固定する、請求項４に記載のサイズ検知装置。
【請求項６】
請求項１〜５のいずれかに記載のサイズ検知装置と、
前記サイズ検知装置によりサイズを検知された前記原稿のデータに基づいて、画像形成動作を行う画像形成部と、
を備える、画像形成装置。
【発明の詳細な説明】
【技術分野】
【０００１】
本発明は、サイズ検知装置ならびに画像形成装置に関する。
【背景技術】
【０００２】
コピー機能を有する画像形成装置には、原稿に光を照射して原稿のサイズを検知する原稿サイズ検知部と、光源等で構成された原稿読み取り部と、例えば透明なガラス部材で形成された原稿を載置するための原稿載置部と、原稿を抑えるための原稿押さえ部とが備えられている。原稿押さえ部は、原稿載置部に対して開閉可能な原稿カバーと、原稿載置部に対応する原稿カバーの面に形成されたほぼ白色の原稿マットとを有する。
【０００３】
尚、上記画像形成装置に関連する技術としては、例えば特許文献１に示すものがある。
【特許文献１】特開昭５７−６０３５７号公報
【発明の開示】
【発明が解決しようとする課題】
【０００４】
ところで、上述したような画像形成装置では、原稿載置部に載置された原稿のサイズ検知動作は、原稿カバーが原稿載置部に対し若干開いた状態で固定されて行われる。そのため、原稿のサイズ検知時に自動露光の為のサンプリング露光をする場合には、原稿読み取り部の光源が照射する光が原稿押さえ部と原稿載置部との隙間から漏れてしまう。このような光漏れは、画像形成装置を利用するユーザの目に悪影響を及ぼす恐れがある。
【０００５】
一方で、このような光漏れを抑えるために、原稿カバーを原稿載置部に対し閉じた状態で固定させて原稿のサイズ検知及びサンプリング露光をする方法が考えられる。しかし、原稿の色は一般的には白色が多いため、原稿マットが原稿と同様に白色であると、原稿カバーが閉じた状態では、原稿サイズ検知時に原稿に照射される光の反射が適切になされず、原稿のサイズ検知が正常に行われない場合がある。
【０００６】
そこで、本発明は、サンプリング露光時の光漏れが生じることを防ぐことができ、かつ原稿のサイズ検知を正常に行うことができるサイズ検知装置と、サイズ検知装置を備えた画像形成装置の提供を目的とする。
【課題を解決するための手段】
【０００７】
発明１に係るサイズ検知装置は、原稿載置部と、原稿押さえ部と、色切換部と、原稿サイズ検知部とを備える。原稿載置部には原稿が載置される。原稿押さえ部は、原稿カバーと、シート状の表示媒体とを有する。原稿カバーは、原稿載置部に対し開閉可能に連結され、原稿載置部に載置された原稿を押さえる。シート状の表示媒体は、原稿カバーの下面に取り付けられ、原稿載置部に載置された原稿のサイズよりも大きい。色切換部は、原稿カバーが原稿載置部に対し閉じられている時に、シート状の表示媒体に表示させる色を暗色系または明色系の色に切り換える。原稿サイズ検知部は、原稿載置部の下方に配置され、原稿載置部に載置された原稿に向けて光を照射し、載置された原稿の領域における反射率と表示媒体における反射率との差に基づいて原稿のサイズを検知する。
【０００８】
このサイズ検知装置によると、シート状の表示媒体の色は適宜切り換えられるため、どのような色の原稿の対しても原稿の領域と表示媒体の領域とで反射率の差を生じさせることができ、原稿サイズ検知部は原稿のサイズを検知することができる。このように、原稿カバーを閉じた状態でも原稿サイズを検知することができるため、原稿サイズ検知時に自動露光のためのサンプリング露光をする場合には、光漏れが生じずに済む。
【０００９】
発明２に係るサイズ検知装置は、発明１に係るサイズ検知装置であって、シート状の表示媒体は電子ペーパーである。
【００１０】
電子ペーパーは、色を変化させる場合にのみ電力の供給を必要とし、電力の供給が停止されると、電力の供給停止前における色を維持することができる。従って、このような電子ペーパーをシート状の表示媒体として利用し、例えば電子ペーパーには色を変化させる場合にのみ電力を供給することにより、シート状の表示媒体自体が消費する電力は少なくて済む。
【００１１】
発明３に係るサイズ検知装置は、発明１または２に係るサイズ検知装置であって、原稿の読み取り動作開始の指示を外部から受け付ける指示受付部を更に備える。そして、原稿サイズ検知部は、指示受付部が読み取り動作開始の指示を受け付けた時、原稿のサイズ検知を開始する。
【００１２】
このサイズ検知装置によると、原稿の読み取り開始の指示に基づいて、原稿のサイズ検知及び自動露光のサンプリング露光が開始される。従って、例えば原稿が原稿載置部に載置された時に原稿のサイズ検知を行うようなサイズ検知装置において、ユーザがサイズ検知を行うべき原稿とは別の原稿を間違えて原稿載置台に載置した際に、原稿のサイズ検知を行うためにシート状の表示媒体の色が無駄に切り換えられたり、サンプリング露光がされたりする場合よりも、消費される電力が少なくて済む。
【００１３】
発明４に係るサイズ検知装置は、発明１〜３のいずれかに係るサイズ検知装置であって、色切換部は、原稿サイズ検知部が原稿のサイズ検知を行っている間にシート状の表示媒体の色の切り換えを行い、原稿のサイズ検知の終了後には、シート状の表示媒体の色を略白色に固定する。
【００１４】
原稿の読み取り動作が行われている間にシート状の表示媒体の色が切り替わったり白色以外の色に固定されていたりすると、シート状の表示媒体の色が原稿の読み取り動作により得られた原稿のデータに悪影響を及ぼす恐れがある。これに対し、このサイズ検知装置は、原稿のサイズ検知が行われている間のみ、シート状の表示媒体の色を例えば白から黒に切り換えるため、シート状の表示媒体の色が原稿のデータに悪影響を及ぼすことを防ぐことができる。
【００１５】
発明５に係るサイズ検知装置は、発明４に係るサイズ検知装置であって、原稿読み取り部を更に備える。原稿読み取り部は、原稿載置部に載置された原稿に対して所定方向に移動する光源を有し、原稿を走査露光して読み取る。そして、色切換部は、光源の位置よりも所定方向の下流側に対応するシート状の表示媒体の部分を略白色に固定する。
【００１６】
これにより、原稿の読み取り時、まだ読み取られていない原稿の部分に対応するシート状の表示媒体は白色であるため、シート状の表示媒体の色が原稿の読み取り動作により得られた原稿のデータに悪影響を及ぼしてしまうことをより防ぐことができる。また、このサイズ検知装置によると、サンプリング露光動作は、原稿カバーが閉じている状態で行われるため、サンプリング露光時に光源により光が照射されても、光がサイズ検知装置外部に漏れるのを抑えることができる。
【００１７】
発明６に係る画像形成装置は、発明１〜５のいずれかに記載のサイズ検知装置と、サイズ検知装置によりサイズを検知された原稿のデータに基づいて、画像形成動作を行う画像形成部とを備える。
【発明の効果】
【００１８】
本発明のサイズ検知装置及び画像形成装置によると、自動露光の為のサンプリング露光時の光漏れが生じることを防ぐことができると共に、原稿のサイズ検知を正常に行うことができる。
【発明を実施するための最良の形態】
【００１９】
（１）画像形成装置の構成
図１は、本実施形態に係るサイズ検知装置が採用された画像形成装置１の外観図である。また、図２は、画像形成装置１の外観図であって、特に原稿カバー３ａが原稿載置部２に対し開いている状態の時の図である。この画像形成装置１は、ＦＡＸ機能やプリンタ機能、スキャナ機能、コピー機能等の複数の機能を有している複合機の機種である。
【００２０】
画像形成装置１は、図１及び図２に示すように、原稿載置部２、原稿押さえ部３、本体部４、操作パネル５（指示受付部に相当）、給紙カセット６及び排紙トレイ７を含む。
【００２１】
原稿載置部２は、原稿が載置されるための台であって、例えば透明なガラス等で形成されている。
【００２２】
原稿押さえ部３は、原稿カバー３ａと原稿マット３ｂとを有する。原稿カバー３ａは、原稿載置部２に対し開閉可能に連結されており、原稿載置部２に載置された原稿を押さえる。原稿マット３ｂは、原稿カバー３ａの下面に取り付けられており、原稿載置部２に載置された原稿のサイズよりも大きいシート状の表示媒体で形成されている。本実施形態では、シート状の表示媒体が電子ペーパーである場合について説明する。ここで、電子ペーパーは、色を変化させる場合にのみ電力の供給を必要とし、例えば色が変わった後に電力の供給が停止されると、変化後の色を維持する性質を持つ。このような構成を有する原稿押さえ部３により、原稿載置部２に載置された原稿は、原稿のサイズが検知される場合や原稿の読み取り動作が行われる場合には、原稿カバー３ａが閉じられることにより原稿マット３ｂと接触し、押さえられる。
【００２３】
尚、原稿カバー３ａの「下面」のように、「下」等の方向を示す表現を適宜用いているが、これらは画像形成装置１を通常使用する状態での各方向を表す。
【００２４】
本体部４は、図４に示すように、サイズ検知用センサ４１、原稿読み取り部４２、電源部４３、画像形成部４４、制御部４５及び他の入出部を含む。ここで、他の入出部としては、画像形成装置１がＰＣ等の外部装置と通信を行うための通信部などが挙げられる。
【００２５】
サイズ検知用センサ４１は、原稿のサイズを検知するためのものであって、図２に示すように、原稿載置部２の下方に２つ設けられている。これらの２つのサイズ検知用センサ４１は、原稿載置部２に載置された原稿に向けて光を照射し、この光の反射光をそれぞれ受光する。例えば、図２に示すように、２つのサイズ検知用センサ４１のうち１つが載置されている原稿の領域の下方に位置しており、もう１つのサイズ検知用センサ４１が原稿の載置されていない領域（即ち原稿載置部２を介して原稿マット３ｂと対向する領域）に配置されている場合、原稿に反射した光の反射率と原稿マット３ｂに反射した光の反射率とは異なる。そこで、原稿のサイズは、このような反射率との差に基づいて検知される。そして、サイズ検知用センサ４１は、それぞれ反射光を受光すると、受光した反射光を電圧値に変換し、変換後の電圧値を制御部４５のサイズ検知制御部４５ａ（後述。サイズ検知用センサ４１及びサイズ検知制御部４５ａとで、原稿サイズ検知部に相当）に出力する。
【００２６】
原稿読み取り部４２は、原稿載置部２に載置されたサイズ検知後の原稿を読み取って原稿の画像データを取得するためのものであって、図２に示すように、原稿載置部２の下方に原稿載置部２の長手方向に対してほぼ垂直となるように配置されている。また、本実施形態に係る原稿読み取り部４２は、原稿毎の濃度に依存せず均一の画像濃度を得るために、画像読み取りを実際に行う前に自動露光のためのサンプリング露光を行う。尚、サンプリング露光は、サイズ検知用センサ４１が原稿のサイズを検知する時に行われる。
【００２７】
そして、このような原稿読み取り部４２は、図３に示すように、光を照射するための光源４２ａ、光を反射させるミラー４２ｂ、反射した光が透過するためのレンズ４２ｃ、及びレンズ４２ｃを透過後の光を受光するＣＣＤセンサ４２ｄ等を有している。そして、原稿読み取り部４２は、原稿の読み取りを行う時には、図示しない駆動モータ等により、原稿載置部２に載置された原稿に対して原稿載置部２の長手方向（即ち図２の矢印Ａ）に移動し、原稿を走査露光して読み取る。以下より、図２の矢印Ａの方向を移動方向Ａという。
【００２８】
電源部４３は、電子ペーパーからなる原稿マット３ｂに電源を供給するためのものであって、制御部４５の電源制御部４５ｄ（後述）によりオン及びオフを制御される。
【００２９】
画像形成部４４は、原稿読み取り部４２により読み取られた原稿の画像データに基づいて、トナー像を形成する。尚、トナー像は、転写装置（図示せず）により用紙に転写された後、定着装置（図示せず）により定着される。
【００３０】
制御部４５は、ＣＰＵやメモリを含むマイクロコンピュータで構成されており、図４に示すように、原稿マット３ｂ、操作パネル５、サイズ検知用センサ４１、原稿読み取り部４２、電源部４３、画像形成部４４及び他の入出部と接続されている。制御部４５は、画像形成処理や接続されている各入出部の動作の制御等を行う。尚、制御部４５については、「（２）制御部の構成」で詳述する。
【００３１】
操作パネル５は、図１及び図２に示すように、本体部４において原稿載置部２の手前側部分に設けられており、表示パネル５ａ及び操作キー５ｂを有している。表示パネル５ａは、例えば液晶ディスプレイで構成されるタッチパネルであって、各種の設定画面等を表示する。操作キー５ｂは、原稿の読み取り開始の指示等を外部から受け付けるためのスタートキーや、コピー、プリンタ、スキャナ及びＦＡＸの各機能を設定するための設定キー及びテンキー等を有している。
【００３２】
給紙カセット６は、用紙を収納可能であって、図１に示すように本体部４の下方に３段設けられている。
【００３３】
排紙トレイ７は、本体部４の側面に側方に突出するように設けられており、本体部４内部の画像形成部４４により画像が形成された用紙が積載される。
【００３４】
（２）制御部の構成
本実施形態に係る制御部４５は、原稿のサイズ検知及び読み取り動作が適切に行われるように、主に原稿マット３ｂの制御を行う。このような動作を行うため、制御部４５は、サイズ検知制御部４５ａ、読み取り制御部４５ｂ、色切換部４５ｃ及び電源制御部４５ｄとして機能する。
【００３５】
サイズ検知制御部４５ａは、原稿のサイズ検知を行うタイミングを制御すると共に、２つのサイズ検知用センサ４１が出力した各電圧値（即ち反射率）の差に基づいて、原稿のサイズを判断する。特に、サイズ検知制御部４５ａは、操作パネル５上のスタートキーが押されることで、原稿載置部２上の原稿の読み取り動作の開始指示がなされた時、サイズ検知用センサ４１が原稿に光を照射して原稿のサイズ検知を開始するように、サイズ検知用センサ４１を制御する。尚、このような原稿のサイズ検知動作の要する時間は、約０．０５〜０．１秒程度である。
【００３６】
読み取り制御部４５ｂは、原稿サイズが検知される時に、自動露光のためのサンプリング露光が行われるように、原稿読み取り部４２を制御する。そして、読み取り制御部４５ｂは、原稿サイズ検知の終了後、原稿読み取り部４２を移動方向Ａに移動させるための駆動モータを駆動させると共に、原稿読み取り部４２が読み取り動作を開始するように、原稿読み取り部４２を制御する。
【００３７】
色切換部４５ｃは、原稿マット３ｂの色、即ち電子ペーパーが表示する色を、暗色系または明色系の色に切り換える。暗色系の色としては、例えば黒色や焦げ茶色、ふかみどり色などが挙げられ、明色系の色としては、例えば白色やクリーム色などが挙げられる。
【００３８】
ここで、本実施形態に係る色切換部４５ｃについて、具体的に説明する。色切換部４５ｃは、サイズ検知用センサ４１が原稿のサイズ検知を行っている間に、原稿マット３ｂの色の切り換えを行い、原稿のサイズ検知の終了後には、原稿マット３ｂの色をほぼ白色に固定する。より具体的には、色切換部４５ｃは、原稿のサイズ検知動作中には、原稿マット３ｂの色を黒や白に例えば所定間隔毎に切り換える。この時、サイズ検知用センサ４１は、原稿マット３ｂの色が切り替わるたびに原稿のサイズ検知を行い、電圧値を出力する。従って、原稿のサイズ検知動作中、サイズ検知用センサ４１からは、電圧値が数回出力されるが、サイズ検知制御部４５ａは、数回に渡り出力された各電圧値のうち、原稿サイズを判断可能な電圧値に基づいて、原稿のサイズを判断する。このような動作により、原稿がどのような色であっても、原稿マット３ｂの色が変化するため、サイズ検知用センサ４１が照射する光は原稿マット３ｂが所定の色となった場合に適切に反射される。
【００３９】
また、色切換部４５ｃは、原稿読み取り部４２が原稿の読み取り動作を行っている場合、原稿読み取り部４２の光源４２ａの位置よりも原稿読み取り部４２の移動方向Ａの下流側に対応する原稿マット３ｂの部分をほぼ白色に固定する。より具体的には、原稿読み取り部４２が移動方向Ａに移動しながら原稿の読み取りを行っている場合、既に読み取った原稿の部分に対応する原稿マット３ｂの部分については、色切換部４５ｃは、色を固定せずともよく、未だ読み取っていない原稿の部分に対応する原稿マット３ｂの部分については、色切換部４５ｃは、色をほぼ白色に固定する。これにより、原稿読み取り部４２が未だ読み取っていない原稿の部分を読み取る時、原稿マット３ｂの色が原稿の読み取り動作により得られた原稿の画像データに、例えば原稿マット３ｂの色の移り込み等の悪影響を及ぼすことを防ぐことができる。
【００４０】
電源制御部４５ｄは、電源部４３のオン及びオフを制御する。例えば、自動露光のためのサンプリング露光や原稿のサイズ検知動作、読み取り動作が行われていない場合には、電源制御部４５ｄは、電源部４３をオフさせ、電子ペーパーからなる原稿マット３ｂに電源が供給されないように制御する。また、原稿のサイズ検知動作や読み取り動作が開始される場合には、電源制御部４５ｄは、電源部４３をオンさせ、原稿マット３ｂに電源が供給されるように制御する。
【００４１】
尚、図４に示すように、本実施形態では、原稿載置部２、原稿押さえ部３、操作パネル５、サイズ検知用センサ４１とサイズ検知制御部４５ａ、原稿読み取り部４２、電源部４３、色切換部４５ｃ及び電源制御部４５ｄを、まとめてサイズ検知装置１１という。
【００４２】
（３）画像形成装置の動作
次に、画像形成装置１の動作について図５を用いて説明する。はじめに、画像形成装置１本体の電源はオンしており、原稿載置部２には原稿が載置され、原稿押さえ部３の原稿カバー３ａが完全に閉じられたとする。
【００４３】
ステップＳ１〜２：ユーザにより操作パネル５上のスタートキーが押下されると（Ｓ１）、電源制御部４５ｄは、原稿マット３ｂに電源が供給されるように、電源部４３を制御する（Ｓ２）。これにより、原稿マット３ｂには、電源部４３からの電源が供給される。
【００４４】
ステップＳ３：読み取り制御部４５ｂ及びサイズ検知制御部４５ａは、サンプリング露光及びサイズ検知用センサ４１による原稿のサイズ検知をそれぞれ開始させる。色切換部４５ｃは、原稿マット３ｂの色の切換を開始する。尚、本実施形態では、原稿のサイズ検知動作は、所定時間行われる。
【００４５】
ステップＳ４〜５：原稿のサイズ検知が開始されてから所定時間が経過すると（Ｓ４）、サイズ検知制御部４５ａはサイズ検知用センサ４１による原稿のサイズ検知を終了させ、色切換部４５ｃは、原稿マット３ｂの色をほぼ白色に固定させる（Ｓ５）。
【００４６】
ステップＳ６：原稿のサイズ検知が終了し、原稿マット３ｂの色がほぼ白色で固定された後、読み取り制御部４５ｂは、原稿読み取り動作を原稿読み取り部４２に開始させる。これにより、原稿読み取り部４２は、移動方向Ａに移動しながら原稿載置部２に載置されたサイズ検知後の原稿を読み取る。
【００４７】
ステップＳ７〜８：原稿読み取り部４２が原稿の読み取り動作を終えると（Ｓ７）、電源制御部４５ｄは、原稿マット３ｂへの電源の供給が停止するように、電源部４３を制御する（Ｓ８）。これにより、原稿マット３ｂには、電源部４３からの電源の供給が停止し、原稿マット３ｂの色表示は白色のままとなる。
【００４８】
ステップＳ９：画像形成部４４は、原稿読み取り部４２により読み取られた原稿の画像データに基づいて、画像形成動作を行う。そして、画像形成動作の終了後、画像形成装置１は、一連の動作を終了する。
【００４９】
（４）効果
この画像形成装置１によると、電子ペーパーからなる原稿マット３ｂの色は適宜切り換えられるため、どのような色の原稿の対しても原稿の領域と原稿マット３ｂの領域とで反射率の差を生じさせることができ、サイズ検知用センサ４１は原稿のサイズを検知することが可能な反射光を受光することができる。このように、原稿カバー３ａを閉じた状態でも原稿サイズを検知することができるため、原稿サイズ検知時に自動露光のサンプリング露光をする場合には、光漏れが生じずに済む。
【００５０】
ところで、電子ペーパーは、色を変化させる場合にのみ電力の供給を必要とし、電力の供給が停止されると、電力の供給停止直前の色を維持する性質を持つ。従って、このような電子ペーパーを原稿マット３ｂとしてとして利用し、電子ペーパーには色を変化させる場合にのみ電力が供給されることにより、電子ペーパー自体が消費する電力は少なくて済む。
【００５１】
また、この画像形成装置１は、スタートキーが押された時に原稿のサイズ検知を開始する。従って、例えば原稿が原稿載置部２に載置された時に原稿のサイズ検知を行うような画像形成装置において、ユーザがサイズ検知を行うべき原稿とは別の原稿を間違えて原稿載置台に載置した際に、原稿のサイズ検知を行うために原稿マットの色が無駄に切り換えられたり、サンプリング露光がされたりする場合よりも、消費される電力が少なくて済む。
【００５２】
ところで、原稿の読み取り動作が行われている間に原稿マット３ｂの色が切り替わったり白色以外の色に固定されていたりすると、原稿マット３ｂの色が原稿の読み取り動作により得られた原稿のデータに例えば原稿マット３ｂの色の移り込む等の悪影響を及ぼす恐れがある。これに対し、本実施形態に係る画像形成装置１は、原稿のサイズ検知が行われている間のみ、原稿マット３ｂの色を例えば白から黒に切り換えるため、原稿マット３ｂの色が読み取られた原稿の画像データに悪影響を及ぼすことを防ぐことができる。
【００５３】
また、原稿読み取り部４２が移動方向Ａに移動しながら原稿を読み取る場合には、色切換部４５ｃは、原稿読み取り部４２における光源４２ａの位置よりも移動方向Ａの下流側に対応する原稿マット３ｂの部分をほぼ白色に固定する。これにより、原稿の読み取り時、まだ読み取られていない原稿の部分に対応する原稿マット３ｂは白色であるため、原稿マット３ｂの色が原稿の読み取り動作により得られた原稿のデータに悪影響を及ぼしてしまうことをより防ぐことができる。また、この画像形成装置１によると、サンプリング露光動作は、原稿カバー３ａが閉じている状態で行われるため、サンプリング露光時に光源により光が照射されても、光が画像形成装置１外部に漏れるのを抑えることができる。
【００５４】
＜その他の実施形態＞
（ａ）上記実施形態では、サイズ検知装置１１が搭載された画像形成装置１を例にとり説明したが、本発明のサイズ検知装置１１は、例えばスキャナのように画像形成動作を行わない装置にも適用することができる。即ち、本発明に係るサイズ検知装置１１は、少なくともサイズを検知でき、更に原稿を読み取ることができるような装置として適用することができる。
【００５５】
（ｂ）上記実施形態では、スタートキーが押された時に原稿のサイズ検知が行われる場合について説明したが、原稿のサイズ検知が開始されるタイミングについては、これに限定されない。例えば、原稿カバー３ａが完全に閉じた時に原稿カバー３ａにより押される位置にスイッチを設け、このスイッチが原稿カバー３ａにより押された時に原稿サイズ検知及びサンプリング露光が行われるようにしてもよい。これにより、サンプリング露光時に照射される光は画像形成装置１の外部に漏れずに済むと共に、原稿サイズ検知の精度が向上する。また、画像形成装置１は、実際に原稿読み取り動作を行う時と同じ状態で、自動露光によるサンプリングデータを取得することができるため、原稿サイズ検知の精度がより向上する。
【００５６】
ここで、本発明の画像形成装置では、原稿カバー３ａは完全に閉じた状態で原稿サイズの検知ができるため、設けるスイッチは１つで済む。従って、スイッチの押下による制御の複雑化は生じずに済む。
【産業上の利用可能性】
【００５７】
本発明に係るサイズ検知装置は、例えばスキャナ等の原稿のサイズを検知する機能を有する装置に適用できる。また、本発明に係る画像形成装置は、このような原稿のサイズを検知する機能に加え、画像形成を行う機能を搭載した複写機や複合機、ファクシミリ装置等において適用できる。
【図面の簡単な説明】
【００５８】
【図１】本実施形態に係る画像形成装置の外観図。
【図２】本実施形態に係る画像形成装置の原稿カバーが原稿載置部に対し開いている場合の図。
【図３】本実施形態に係る画像形成装置のスキャナ部の構成を具体的に示す図。
【図４】本実施形態に係る画像形成装置の構成を模式的に示すブロック図。
【図５】本実施形態に係る画像形成装置の動作を説明するためのフロー図。
【符号の説明】
【００５９】
１  画像形成装置
３  原稿押さえ部
３ａ  原稿カバー
３ｂ  原稿マット
４  本体部
５  操作パネル
１１  サイズ検知装置
４１  サイズ検知用センサ
４２  原稿読み取り部
４３  電源部
４４  画像形成部
４５  制御部
４５ａ  サイズ検知制御部
４５ｂ  読み取り制御部
４５ｃ  色切換部
４５ｄ  電源制御部
【図１】
2008244829.tif 000003
【図２】
2008244829.tif 000004
【図３】
2008244829.tif 000005
【図４】
2008244829.tif 000006
【図５】
2008244829.tif 000007